【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
表示画面に情報を移動させながら表示する情報表示装置において、
前記表示画面の一方の表示端から他方の表示端へ、所定の移動速度で情報を表示させる手段と、
表示された前記情報の一端が前記他方の表示端に到着したことを検知する手段と、
前記到着が検知された場合、前記情報を、前記所定の移動速度より遅い移動速度で表示させる手段とを有することを特徴とする情報表示装置。
【請求項２】
コンピュータにより、表示画面に情報を移動させながら表示する方法であって、
前記表示画面の一方の表示端から他方の表示端へ、所定の移動速度で情報を表示させ、
表示された前記情報の一端が前記他方の表示端に到着したことを検知し、
前記到着が検知された場合、前記情報を、前記所定の移動速度より遅い移動速度で表示させる、ことを特徴とする情報表示方法。
【請求項３】
表示画面に情報を移動させながら表示する方法をコンピュータに実行させるためのプログラムであって、
前記表示画面の一方の表示端から他方の表示端へ、所定の移動速度で情報を表示させるステップと、
表示された前記情報の一端が前記他方の表示端に到着したことを検知するステップと、
前記到着が検知された場合、前記情報を、前記所定の移動速度より遅い移動速度で表示させるステップと、
を有する情報表示プログラム。
【請求項４】
デジタルコンテンツを格納したデジタルコンテンツ配信装置から、ネットワークを介して、携帯端末へ、所定期間内における所望の時間帯毎にデジタルコンテンツを配信する方法であって、
前記デジタルコンテンツ配信装置は、配信対象であるデジタルコンテンツと当該デジタルコンテンツを識別するデジタルコンテンツＩＤとを対応付けて格納したデジタルコンテンツデータベースを有し、
前記携帯端末は、固有の端末ＩＤ又は携帯端末ユーザＩＤを有し、前記ネットワークを介して、配信を要求するデジタルコンテンツおよび当該デジタルコンテンツの配信希望時間の指定を行う指定情報を、前記デジタルコンテンツ配信装置に送信し、
前記デジタルコンテンツ配信装置は、前記配信希望時間に基づいた配信時間であり、前記携帯端末がデジタルコンテンツを要求するデジタルコンテンツ要求情報の送信される配信時間を決定し、前記指定情報により特定されるデジタルコンテンツを識別するデジタルコンテンツＩＤを、前記配信時間毎に時系列に列挙して配信テーブルを生成し、この配信テーブルを携帯端末毎に配信テーブルデータベースへ格納し、
前記デジタルコンテンツ配信装置は、前記配信テーブルの配信時間を、前記携帯端末に送信し、
前記携帯端末は、前記デジタルコンテンツ配信装置にて決定され送信された前記配信時間を自身が有する記憶手段に格納し、格納された前記配信時間の到来を検知して、当該配信時間に前記ネットワークを介して前記デジタルコンテンツ配信装置へ、前記デジタルコンテンツ要求情報を送信し、
前記デジタルコンテンツ配信装置は、前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索されたデジタルコンテンツＩＤに対応するデジタルコンテンツを前記デジタルコンテンツデータベースから特定し、ここで特定したデジタルコンテンツを前記ネットワークを介して前記携帯端末へ送信し、
前記携帯端末からのデジタルコンテンツ要求情報の携帯端末固有ＩＤ又は携帯端末ユーザＩＤに基づき、デジタルコンテンツ配信装置にてデジタルコンテンツを検索、特定し、該装置からデジタルコンテンツを前記携帯端末に送信し、該携帯端末自身でデジタルコンテンツを受信、表示することを特徴とするデジタルコンテンツ配信方法。
【請求項５】
前記携帯端末が携帯電話機であり、前記所望の時間帯が朝、昼、夜のいずれか一つまたはこれらの組合せである請求項４に記載のデジタルコンテンツ配信方法。
【請求項６】
ネットワークを介して所定期間内における所望の時間帯毎にデジタルコンテンツを携帯端末に配信するデジタルコンテンツの配信装置であって、
配信対象であるデジタルコンテンツと当該デジタルコンテンツを識別するデジタルコンテンツＩＤとを対応付けて格納したデジタルコンテンツデータベースと、
前記携帯端末から、前記ネットワークを介して、配信を要求するデジタルコンテンツおよび当該デジタルコンテンツの配信希望時間の指定を行う指定情報を受信する手段と、
前記配信希望時間に基づいた配信時間であり、前記携帯端末がデジタルコンテンツを要求するデジタルコンテンツ要求情報の携帯端末固有ＩＤ又は携帯端末ユーザＩＤの送信される配信時間を決定し、前記指定情報により特定されるデジタルコンテンツを識別するデジタルコンテンツＩＤを、前記配信時間毎に時系列に列挙して配信テーブルを生成し、この配信テーブルを携帯端末毎に配信テーブルデータベースへ格納する手段と、
前記配信テーブルの配信時間を、前記携帯端末に送信する手段と、
前記携帯端末によって、前記デジタルコンテンツ配信装置にて決定され送信された前記配信時間が当該携帯端末の有する記憶手段に格納され、格納された前記配信時間の到来が検知され、当該配信時間に当該携帯端末から前記ネットワークを介して送信されるデジタルコンテンツ要求情報の携帯端末固有ＩＤ又は携帯端末ユーザＩＤを受信する手段と、
前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索されたデジタルコンテンツＩＤに対応するデジタルコンテンツを、前記デジタルコンテンツデータベースから特定し、ここで特定したデジタルコンテンツを、前記ネットワークを介して前記携帯端末へ送信する手段とを備え、
前記携帯端末からのデジタルコンテンツ要求情報の携帯端末固有ＩＤ又は携帯端末ユーザＩＤに基づきデジタルコンテンツ配信装置にてデジタルコンテンツを検索、特定し、当該デジタルコンテンツ配信装置からデジタルコンテンツを前記携帯端末に送信し、当該携帯端末自身でデジタルコンテンツを受信、表示することを特徴とするデジタルコンテンツ配信装置。
【請求項７】
デジタルコンテンツを表示する表示部を有する携帯端末と、デジタルコンテンツを格納したデータベースを有するデジタルコンテンツ配信装置と、前記携帯端末と前記デジタルコンテンツ配信装置間をつなぐネットワークとからなるデジタルコンテンツ配信システムにおいて、
前記携帯端末は、携帯端末固有のＩＤ又は携帯端末ユーザＩＤを有し、前記ネットワークを介して、配信を要求するデジタルコンテンツおよび当該デジタルコンテンツの配信希望時間の指定を行う指定情報を、前記デジタルコンテンツ配信装置に送信し、
前記デジタルコンテンツ配信装置は、前記携帯端末から配信希望時間が送信された場合、予め定められた時間帯に配信時間が分散した配信スケジュールを策定し、前記配信希望時間に基づいた配信時間であって所定の期間内における所望の複数の時間帯であり、前記携帯端末からデジタルコンテンツを要求するデジタルコンテンツ要求情報の携帯端末固有のＩＤ又はユーザＩＤを送信する配信時間を決定し、前記指定情報により特定されるデジタルコンテンツを識別するデジタルコンテンツＩＤを、前記配信時間毎に時系列的に列挙して配信テーブルを生成し、この配信テーブルを携帯端末毎に配信テーブルデータベースへ格納し、
前記デジタルコンテンツ配信装置は、前記配信テーブルのうち前記携帯端末に対応付けたものが含む配信時間を、前記携帯端末に送信し、
前記携帯端末は、前記デジタルコンテンツ配信装置にて決定され送信された前記配信時間を自身が有する記憶手段に格納し、格納された前記配信時間帯毎に配信時間の到来を検知して、当該配信時間に前記ネットワークを介して前記デジタルコンテンツ配信装置へ、前記デジタルコンテンツ要求情報の携帯端末固有ＩＤ又は携帯端末ユーザＩＤを送信し、
前記デジタルコンテンツ配信装置は、前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索された前記デジタルコンテンツＩＤに対応するデジタルコンテンツを、前記デジタルコンテンツデータベースから特定し、ここで特定したデジタルコンテンツを前記ネットワークを介して前記携帯端末へ送信することでデジタルコンテンツの分散配信を実現し、
前記携帯端末からのデジタルコンテンツ要求情報の携帯端末固有ＩＤ又は携帯端末ユーザＩＤに基づきデジタルコンテンツ配信装置にてデジタルコンテンツの検索、特定をし、当該デジタルコンテンツ配信装置からデジタルコンテンツを前記携帯端末に送信し、当該携帯端末自身でデジタルコンテンツを受信、表示することを特徴とするデジタルコンテンツ配信システム。
【請求項８】
前記携帯端末が携帯電話機であり、前記所望の時間帯が朝、昼、夜のいずれか一つまたはこれらの組合せである請求項７に記載のデジタルコンテンツ配信システム。
【手続補正２】
【補正対象書類名】明細書
【補正対象項目名】発明の名称
【補正方法】変更
【補正の内容】
【発明の名称】情報表示装置、情報表示方法、情報表示プログラム、デジタルコンテンツ配信方法、デジタルコンテンツ配信装置、デジタルコンテンツ配信システム
【手続補正３】
【補正対象書類名】明細書
【補正対象項目名】０００８
【補正方法】変更
【補正の内容】
【０００８】
また、本発明のデジタルコンテンツ配信方法は、デジタルコンテンツを格納したデジタルコンテンツ配信装置から、ネットワークを介して、携帯端末へ、所定期間内における所望の時間帯毎にデジタルコンテンツを配信する方法であって、前記デジタルコンテンツ配信装置は、配信対象であるデジタルコンテンツと当該デジタルコンテンツを識別するデジタルコンテンツＩＤとを対応付けて格納したデジタルコンテンツデータベースを有し、前記携帯端末は、固有の端末ＩＤ又は携帯端末ユーザＩＤを有し、前記ネットワークを介して、配信を要求するデジタルコンテンツおよび当該デジタルコンテンツの配信希望時間の指定を行う指定情報を、前記デジタルコンテンツ配信装置に送信し、前記デジタルコンテンツ配信装置は、前記配信希望時間に基づいた配信時間であり、前記携帯端末がデジタルコンテンツを要求するデジタルコンテンツ要求情報の送信される配信時間を決定し、前記指定情報により特定されるデジタルコンテンツを識別するデジタルコンテンツＩＤを、前記配信時間毎に時系列に列挙して配信テーブルを生成し、この配信テーブルを携帯端末毎に配信テーブルデータベースへ格納し、前記デジタルコンテンツ配信装置は、前記配信テーブルの配信時間を、前記携帯端末に送信し、前記携帯端末は、前記デジタルコンテンツ配信装置にて決定され送信された前記配信時間を自身が有する記憶手段に格納し、格納された前記配信時間の到来を検知して、当該配信時間に前記ネットワークを介して前記デジタルコンテンツ配信装置へ、前記デジタルコンテンツ要求情報を送信し、前記デジタルコンテンツ配信装置は、前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索されたデジタルコンテンツＩＤに対応するデジタルコンテンツを前記デジタルコンテンツデータベースから特定し、ここで特定したデジタルコンテンツを前記ネットワークを介して前記携帯端末へ送信し、前記携帯端末からのデジタルコンテンツ要求情報の携帯端末固有ＩＤ又は携帯端末ユーザＩＤに基づき、デジタルコンテンツ配信装置にてデジタルコンテンツを検索、特定し、該装置からデジタルコンテンツを前記携帯端末に送信し、該携帯端末自身でデジタルコンテンツを受信、表示することを特徴とする。
また、前記デジタルコンテンツ配信方法において、前記携帯端末が携帯電話機であり、前記所望の時間帯が朝、昼、夜のいずれか一つまたはこれらの組合せであるとしてもよい。
また、本発明のデジタルコンテンツ配信装置は、ネットワークを介して所定期間内における所望の時間帯毎にデジタルコンテンツを携帯端末に配信するデジタルコンテンツの配信装置であって、配信対象であるデジタルコンテンツと当該デジタルコンテンツを識別するデジタルコンテンツＩＤとを対応付けて格納したデジタルコンテンツデータベースと、前記携帯端末から、前記ネットワークを介して、配信を要求するデジタルコンテンツおよび当該デジタルコンテンツの配信希望時間の指定を行う指定情報を受信する手段と、前記配信希望時間に基づいた配信時間であり、前記携帯端末がデジタルコンテンツを要求するデジタルコンテンツ要求情報の携帯端末固有ＩＤ又は携帯端末ユーザＩＤの送信される配信時間を決定し、前記指定情報により特定されるデジタルコンテンツを識別するデジタルコンテンツＩＤを、前記配信時間毎に時系列に列挙して配信テーブルを生成し、この配信テーブルを携帯端末毎に配信テーブルデータベースへ格納する手段と、前記配信テーブルの配信時間を、前記携帯端末に送信する手段と、前記携帯端末によって、前記デジタルコンテンツ配信装置にて決定され送信された前記配信時間が当該携帯端末の有する記憶手段に格納され、格納された前記配信時間の到来が検知され、当該配信時間に当該携帯端末から前記ネットワークを介して送信されるデジタルコンテンツ要求情報の携帯端末固有ＩＤ又は携帯端末ユーザＩＤを受信する手段と、前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索されたデジタルコンテンツＩＤに対応するデジタルコンテンツを、前記デジタルコンテンツデータベースから特定し、ここで特定したデジタルコンテンツを、前記ネットワークを介して前記携帯端末へ送信する手段とを備え、前記携帯端末からのデジタルコンテンツ要求情報の携帯端末固有ＩＤ又は携帯端末ユーザＩＤに基づきデジタルコンテンツ配信装置にてデジタルコンテンツを検索、特定し、当該デジタルコンテンツ配信装置からデジタルコンテンツを前記携帯端末に送信し、当該携帯端末自身でデジタルコンテンツを受信、表示することを特徴とする。
また、本発明のデジタルコンテンツ配信システムは、デジタルコンテンツを表示する表示部を有する携帯端末と、デジタルコンテンツを格納したデータベースを有するデジタルコンテンツ配信装置と、前記携帯端末と前記デジタルコンテンツ配信装置間をつなぐネットワークとからなるシステムであって、前記携帯端末は、携帯端末固有のＩＤ又は携帯端末ユーザＩＤを有し、前記ネットワークを介して、配信を要求するデジタルコンテンツおよび当該デジタルコンテンツの配信希望時間の指定を行う指定情報を、前記デジタルコンテンツ配信装置に送信し、前記デジタルコンテンツ配信装置は、前記携帯端末から配信希望時間が送信された場合、予め定められた時間帯に配信時間が分散した配信スケジュールを策定し、前記配信希望時間に基づいた配信時間であって所定の期間内における所望の複数の時間帯であり、前記携帯端末からデジタルコンテンツを要求するデジタルコンテンツ要求情報の携帯端末固有のＩＤ又はユーザＩＤを送信する配信時間を決定し、前記指定情報により特定されるデジタルコンテンツを識別するデジタルコンテンツＩＤを、前記配信時間毎に時系列的に列挙して配信テーブルを生成し、この配信テーブルを携帯端末毎に配信テーブルデータベースへ格納し、前記デジタルコンテンツ配信装置は、前記配信テーブルのうち前記携帯端末に対応付けたものが含む配信時間を、前記携帯端末に送信し、前記携帯端末は、前記デジタルコンテンツ配信装置にて決定され送信された前記配信時間を自身が有する記憶手段に格納し、格納された前記配信時間帯毎に配信時間の到来を検知して、当該配信時間に前記ネットワークを介して前記デジタルコンテンツ配信装置へ、前記デジタルコンテンツ要求情報の携帯端末固有ＩＤ又は携帯端末ユーザＩＤを送信し、前記デジタルコンテンツ配信装置は、前記デジタルコンテンツ要求情報の携帯端末固有ＩＤ又は携帯端末ユーザＩＤ及びその配信時間に対応するデジタルコンテンツＩＤを前記配信テーブルデータベースから検索し、検索された前記デジタルコンテンツＩＤに対応するデジタルコンテンツを、前記デジタルコンテンツデータベースから特定し、ここで特定したデジタルコンテンツを前記ネットワークを介して前記携帯端末へ送信することでデジタルコンテンツの分散配信を実現し、前記携帯端末からのデジタルコンテンツ要求情報の携帯端末固有ＩＤ又は携帯端末ユーザＩＤに基づきデジタルコンテンツ配信装置にてデジタルコンテンツの検索、特定をし、当該デジタルコンテンツ配信装置からデジタルコンテンツを前記携帯端末に送信し、当該携帯端末自身でデジタルコンテンツを受信、表示することを特徴とする。
また、本発明のデジタルコンテンツ配信システムにおいて、前記携帯端末が携帯電話機であり、前記所望の時間帯が朝、昼、夜のいずれか一つまたはこれらの組合せであるとしてもよい。
その他、本願が開示する課題、及びその解決方法は、発明の実施の形態の欄、及び図面により明らかにされる。